(57)【特許請求の範囲】
【請求項１】
スピーカユニットを内蔵した一対のユニットハウジング部（４）と、これらのユニットハウジング部（４）を互いに連結するヘッドバンド（２）と、両側のユニットハウジング部（４）とヘッドバンド（２）の接続の近傍の架設されている補助バンド部（３）とを備えたヘッドホン装置において、
前記補助バンド部（３）は、略頭形に合致するよう円弧状に湾曲形成された上下部バンドケース（７ａ、７ｂ）からなるバンドケース（７）とからなり、
前記上部バンドケース（７ａ）内にはラック部（１１）を有し、可撓性の材質からなる左右サブバンド（９ａ、９ｂ）を収納する凹部が形成され、かつ両側には開口部が形成されているとともに、この開口部近傍であって凹部を形成する側壁にストッパーとして機能する凸部（１５）が形成され、上部バンドケース（７ａ）の中央部に環状のピニオン１０が回動自在に設けられ、このピニオン１０の内部にはピニオン１０に予め一定の引張応力を付加するコイルばね（８）が設けられ、
前記上部バンドケース（７ａ）内に収納される左右サブバンド（９ａ、９ｂ）は一端内側にそれぞれラック部（１１）が形成され、外側に前記凸部（１５）と当接可能な段差状の切欠部（１３）が形成され、
前記左右サブバンド（９ａ、９ｂ）に形成された各ラック部（１１）は前記ピニオン（１０）と噛合し、移動自在をなし、左右サブバンド（９ａ、９ｂ）の他端部は前記開口部を介し外部に突出し前記ヘッドバンド（２）に連結されたことを特徴とするヘッドホン装置。
【発明の詳細な説明】
【０００１】
【発明の属する技術分野】
本発明はスピーカユニットを内蔵した一対のユニットハウジング部と、これらのユニットハウジング部を互いに連結するヘッドバンドと、両側のユニットハウジング部とヘッドバンドの接続の近傍に架設されている補助バンド部とからなるヘッドホン装置に関する。
【０００２】
【従来の技術】
従来例１におけるヘッドホン装置は、スピーカユニットを内蔵している一対のハウジング部をヘッドバンドで連結し、このヘッドバンドで頭部を挟着保持している。このヘッドバンドはステンレス等の金属板やピアノ線の如き線材を円弧状に湾曲形成してバネ性を与えたもので、その弾性力を利用して頭部を挟着保持し、ユニットハウジング部を耳に押圧保持させている。
【０００３】
しかし、これらのヘッドホン装置では、頭頂部から各耳介までの距離に個人差があるために、ユニットハウジング部を最適の位置に設定するにはヘッドバンドの長さを調節する必要があり、この調節が以外と煩雑で煩わしいものであった。
【０００４】
従来例２としての特開平７−４６６８４号公報で開示されているヘッドホン装置では、ヘッドバンドの長さを調節する代わりに、自動的に頭頂部から各耳介までの距離の個人差に対応する機能を有している。ヘッドバンドとユニットハウジング部との接続の近傍に両端側を取り着けて支持したサスペンダ部材を備え、このサスペンダ部材は伸縮部と非伸縮部とが一体に連設されているものである。
【０００５】
【発明が解決しようとする課題】
しかし、従来例２におけるヘッドホン装置は、サスペンダ部材が略水平であるために、掛け始める時には頭になじみ難いという問題があった。また、伸縮部の伸び縮が中心から両方に全く同じ長さであるとは限らず、片方に偏る場合があるために掛ける時に偏るという問題があった。更に、引張応力も零から始まるために、遊びがあり、伸びの少ない場合には引張応力が弱すぎるという問題もあった。
【０００６】
本発明はこのような点に鑑みてなされたものであり、ヘッドバンドの長さを調節する代わりに、自動的に頭頂部から各耳介までの距離の個人差に対応する機能として、円弧状に湾曲形成されており、伸縮は中心に対して対称であり、初期引張応力を適当な値に設定することができる補助バンド部を備えたヘッドホン装置を提供することを目的とする。
【０００７】
【課題を解決するための手段】
本発明は、スピーカユニットを内蔵した一対のユニットハウジング部４と、これらのユニットハウジング部４を互いに連結するヘッドバンド２と、両側のユニットハウジング部４とヘッドバンド２の接続の近傍の架設されている補助バンド部３とを備えたヘッドホン装置において、前記補助バンド部３は、略頭形に合致するよう円弧状に湾曲形成された上下部バンドケース７ａ、７ｂからなるバンドケース７とからなり、前記上部バンドケース７ａ内にはラック部１１を有し、可撓性の材質からなる左右サブバンド９ａ、９ｂを収納する凹部が形成され、かつ両側には開口部が形成されているとともに、この開口部近傍であって凹部を形成する側壁にストッパーとして機能する凸部１５が形成され、上部バンドケース７ａの中央部に環状のピニオン１０が回動自在に設けられ、このピニオン１０の内部にはピニオン１０に予め一定の引張応力を付加するコイルばね８が設けられ、前記上部バンドケース７ａ内に収納される左右サブバンド９ａ、９ｂは一端内側にそれぞれラック部１１が形成され、外側に前記凸部１５と当接可能な段差状の切欠部１３が形成され、前記左右サブバンド９ａ、９ｂに形成された各ラック部１１は前記ピニオン１０と噛合し、移動自在をなし、左右サブバンド９ａ、９ｂの他端部は前記開口部を介し外部に突出し前記ヘッドバンド２に連結されたことを特徴とする。
【０００８】
【発明の実施の形態】
本発明のヘッドホン装置は、バンドケース内の中心にコイルばねとピニオンを設置し、このピニオンに噛合するように１組のサブバンドのラック部を設置する。このピニオンに予め一定の引張応力を付加するためにコイルばねを一定角度変位させておく。サブバンドは、伸びが零の場合でも一定の復元力が与えられており、遊びがなく、左右対称にスムースな伸び縮みとなる。また、組み立てる時に弾性力の異なるコイルばねを使用することができ、各種の用途に適合した補助バンド部を製造することができる。このバンドケースは略頭形に合致するように円弧状に湾曲形成されているので、始めからよく頭部になじむようになっている。１組のサブバンドをバンドケースと同様に湾曲した形状にするためには、ピニオンとサブバンドのラック部の形状が複雑になり、部品を成形する金型の製造が非常に難しくなる。本願は、１組のサブバンドの材料に可撓性と強靱性を持たせ、平板状に形成しているのでバンドケースの湾曲になじみながらバンドースの外に引き出され、スムースな伸び縮みとなる。
【０００９】
【実施例】
以下、本発明の一実施例を図面に基づいて説明する。図１は本発明の実施例におけるヘッドホン装置の部分断面図である。図において、１は本発明によるヘッドホン装置、２はヘッドバンド、３は自動的に頭頂部から各耳介までの距離の個人差に対応する機能を有する補助バンド部、４はスピーカユニットを内蔵しているユニットハウジング部、５はイヤパッド、６は補助バンド部３をヘッドバンド２に連結する連結部である。
【００１０】
図２は本発明の実施例におけるヘッドホン装置の補助バンド部を分解した分解斜視図である。図において、７は上部バンドケース７ａと下部バンドケース７ｂからなるバンドケースであり、図に示すように、左右サブバンド９ａ、９ｂを収納する凹部が形成されている。上部バンドケース７ａには係止部１４と凸部１５が設けられている。図では平坦な模式図になっているが、実際には略頭形に合致するように円弧状に湾曲形成されており、図面上ではバンドケース７の両端側が上方に中央部が下方になるように湾曲していることになる。８は弾力のあるコイルばね、９は左サブバンド９ａと右サブバンド９ｂからなるサブバンドであり、一端内側にラック部１１が形成され、帯状部１２には段差状の切欠部１３が設けられている。このサブバンド９の材料としては熱可塑性ポリエステル・エラストマ，ナイロン等の可撓性と強靱性を有するものが選ばれる。
【００１１】
次に組立と動作について説明する。上部バンドケース７ａの中央に軸を介し回転自在なピニオン１０とコイルばね８を設置する。コイルばね８の外側の一端を係止部１４に係止し、中の一端をピニオン１０に固着する。続いて、ピニオン１０に予め一定の引張応力を付加するためにピニオン１０を一定角度回転させて正規の軌道に嵌め込むようにする。このピニオン１０に噛合するようにサブバンド９のラック部１１を設置する。この時、サブバンド９の帯状部１２の他端側が上部バンドケース７ａの両側に設けられた開口部から外部にはみ出すように設置されることになる。サブバンド９の段差状の切欠部１３と上部バンドケース７ａの開口部近であって凹部を形成する側壁に形成された凸部１５は突き当たり、凸部１５はサブバンド９のストッパとして機能する。上部バンドケース７ａにコイルばね８，ピニオン１０，サブバンド９を設置したら下部バンドケース７ｂで蓋をする。組立られた補助バンド部３は上下を引っ繰り返してヘッドバンド２の連結部６に既知の手法で取り着けられる。
【００１２】
【発明の効果】
以上説明したように本発明では、補助バンド部は、上下部バンドケースからなるバンドケースと、コイルばねと、ピニオンと、ラックを設けた１組のサブバンドとから構成されており、バンドケースは略頭形に合致するように円弧状に湾曲形成されているので、始めからよく頭部になじむようになっている。
また、１組のサブバンドは可撓性を有する材料から形成されているので、バンドケースの湾曲になじみながらバンドケースの外に引き出され、スムースな伸び縮みとなる。しかも、複雑で精密な金型を必要としない利点がある。
更に、ピニオンに予め一定の引張応力を付加するようにしているので、遊びがなく、左右対称にスムースな伸び縮みとなる。
【図面の簡単な説明】
【図１】  本発明の実施例におけるヘッドホン装置の部分断面図である。
【図２】  本発明の実施例におけるヘッドホン装置の補助バンド部を分解した分解斜視図である。
【符号の説明】
１  ヘッドホン装置
２  ヘッドバンド
３  補助バンド部
４  ユニットハウジング部
５  イヤパッド
６  連結部
７  バンドケース
７ａ  上部バンドケース
７ｂ  下部バンドケース
８  コイルばね
９  サブバンド
９ａ  左サブバンド
９ｂ  右サブバンドｂ
１０  ピニオン
１１  ラック部
１２  帯状部
１３  切欠部
１４  係止部
１５  凸部
【図１】
0003778999.tif 000002
【図２】
0003778999.tif 000003